(57)【要約】【課題】検査や測定の種別に応じて被検眼を適切に固視させることが可能な眼科装置を提供する。【解決手段】眼科装置は、屈折力測定光学系と、ＯＣＴ光学系と、固視投影系と、制御部と、を含む。屈折力測定光学系は、被検眼に光を投射し、被検眼からの戻り光を検出する。ＯＣＴ光学系は、ＯＣＴ光源からの光を参照光と測定光とに分割し、測定光を被検眼に投射し、被検眼からの測定光の戻り光と参照光との干渉光を検出する。固視投影系は、被検眼に固視標を投影する。制御部は、屈折力測定光学系を用いた屈折力測定を行うとき第１固視標を被検眼に投影し、ＯＣＴ光学系を用いたＯＣＴ計測を行うとき第１固視標より視角が狭い第２固視標を被検眼に投影するように固視投影系を制御する。【選択図】図１
2019170470.tif 000002
【特許請求の範囲】
【請求項１】
被検眼に光を投射し、前記被検眼からの戻り光を検出する屈折力測定光学系と、
ＯＣＴ光源からの光を参照光と測定光とに分割し、前記測定光を前記被検眼に投射し、前記被検眼からの前記測定光の戻り光と前記参照光との干渉光を検出するＯＣＴ光学系と、
前記被検眼に固視標を投影する固視投影系と、
前記屈折力測定光学系を用いた屈折力測定を行うとき第１固視標を前記被検眼に投影し、前記ＯＣＴ光学系を用いたＯＣＴ計測を行うとき前記第１固視標より視角が狭い第２固視標を前記被検眼に投影するように前記固視投影系を制御する制御部と、
を含む眼科装置。
【請求項２】
前記制御部は、前記ＯＣＴ計測を行うとき、前記第１固視標に重畳された前記第２固視標を移動又は点滅させるように前記固視投影系を制御する
ことを特徴とする請求項１に記載の眼科装置。
【請求項３】
前記固視投影系は、
照明用光源と、
前記照明用光源と前記被検眼との間に配置され、前記第１固視標が表された透過型の視標チャートと、
前記視標チャートと前記照明用光源との間に配置された固視光源と、
を含み、
前記制御部は、前記照明用光源からの光で前記視標チャートを照明することにより前記第１固視標を前記被検眼に投影させ、前記固視光源を点灯させることにより前記第２固視標を前記被検眼に投影させる
ことを特徴とする請求項１に記載の眼科装置。
【請求項４】
前記制御部は、前記ＯＣＴ計測を行うとき、前記固視光源の点滅制御を行う
ことを特徴とする請求項３に記載の眼科装置。
【請求項５】
前記固視投影系は、
照明用光源と、
固視光源と、
前記照明用光源からの光の光路と前記固視光源からの光の光路とを結合するビームスプリッターと、
前記ビームスプリッターにより結合された光路に配置され、前記第１固視標が表された透過型の視標チャートと、
を含み、
前記制御部は、前記照明用光源からの光で前記視標チャートを照明することにより前記第１固視標を前記被検眼に投影させ、前記固視光源を点灯させることにより前記第２固視標を前記被検眼に投影させる
ことを特徴とする請求項１に記載の眼科装置。
【請求項６】
前記ビームスプリッターと前記固視光源との間に配置されたレンズを含み、
前記視標チャートは、前記レンズの焦点位置に配置されている
ことを特徴とする請求項５に記載の眼科装置。
【請求項７】
前記固視投影系は、
前記第１固視標を前記被検眼に投影するための第１固視投影系と、
前記第２固視標を前記被検眼に投影するための第２固視投影系と、
前記第１固視投影系の光路と前記第２固視投影系の光路とを結合するビームスプリッターと、
を含み、
前記制御部は、前記第１固視投影系及び前記第２固視投影系を制御することにより前記第１固視標及び前記第２固視標の少なくとも一方を前記被検眼に投影させる
ことを特徴とする請求項１に記載の眼科装置。
【請求項８】
前記固視投影系は、
前記第１固視標を前記被検眼に投影するための第１固視投影系と、
前記第２固視標を前記被検眼に投影するための第２固視投影系と、
前記第１固視投影系及び前記第２固視投影系を選択的に前記固視投影系の光路に配置させる切替機構と、
を含み、
前記制御部は、前記屈折力測定を行うとき前記第１固視投影系が前記光路に配置され、前記ＯＣＴ計測を行うとき前記第２固視投影系が前記光路に配置されるように前記切替機構を制御する
ことを特徴とする請求項１に記載の眼科装置。
【請求項９】
前記切替機構は、前記第１固視投影系及び前記第２固視投影系を移動する移動機構を含み、
前記制御部は、前記移動機構を制御することにより前記第１固視投影系及び前記第２固視投影系を選択的に前記固視投影系の光路に配置させる
ことを特徴とする請求項８に記載の眼科装置。
【請求項１０】
前記切替機構は、クイックリターンミラーを含み、
前記制御部は、前記クイックリターンミラーを制御することにより前記第１固視投影系及び前記第２固視投影系を選択的に前記固視投影系の光路に配置させる
ことを特徴とする請求項８に記載の眼科装置。
【請求項１１】
前記第１固視投影系は、
第１照明用光源と、
前記第１照明用光源と前記被検眼との間に配置され、前記第１固視標が表された透過型の第１視標チャートと、
を含み、
前記第２固視投影系は、
第２照明用光源と、
前記第２照明用光源と前記被検眼との間に配置され、前記第２固視標が表された透過型の第２視標チャートと、
を含む
ことを特徴とする請求項７〜請求項１０のいずれか一項に記載の眼科装置。
【請求項１２】
前記第２固視標は、ドット視標又はクロス視標である
ことを特徴とする請求項１〜請求項１１のいずれか一項に記載の眼科装置。
【発明の詳細な説明】
【技術分野】
【０００１】
この発明は、眼科装置に関する。
【背景技術】
【０００２】
被検眼に対して複数の検査や測定を実行可能な眼科装置が知られている。被検眼に対する検査や測定には、自覚検査や他覚測定がある。自覚検査は、被検者からの応答に基づいて結果を得るものである。他覚測定は、被検者からの応答を参照することなく、主として物理的な手法を用いて被検眼に関する情報を取得するものである。
【０００３】
例えば、特許文献１には、自覚検査や他覚測定が可能な眼科装置が開示されている。この眼科装置では、他覚測定として、被検眼の屈折力測定や光コヒーレンストモグラフィを用いた撮影や計測が可能である。このような眼科装置を用いた複数の検査や測定は、固視標を用いて被検眼を固視させた状態で行われる。
【先行技術文献】
【特許文献】
【０００４】
【特許文献１】特開２０１７−１３６２１５号公報
【発明の概要】
【発明が解決しようとする課題】
【０００５】
しかしながら、検査や測定の種別によって固視の目的が異なる。
【０００６】
例えば、屈折力測定では、被検眼の遠見時の屈折力を測定するため、被検眼に視力調節させないように固視標が呈示される。具体的には、屈折力測定では、被検眼ができるだけ遠くを見ている状態にしたり、器械近視の影響を低減したりすることが可能な、視角の大きい固視標が用いられる。このような測定では、例えば、風景チャートなどが用いられる。
【０００７】
また、例えば、光コヒーレンストモグラフィを用いた計測や撮影では、計測部位や計測目的に応じて被検眼における所望の部位を所定の計測位置に配置させるように固視標を呈示させる。具体的には、光コヒーレンストモグラフィを用いた計測等では、被検眼が所望の方向に所定の時間だけ固視を継続することが可能な、視角の小さい固視標が用いられる。このような計測では、例えば、輝点（ドット視標）やクロス視標などが用いられる。
【０００８】
しかしながら、従来では、複数の検査や測定を行う眼科装置において、検査や測定の種別に応じて適切に固視させるものはなかった。
【０００９】
本発明は、このような事情を鑑みてなされたものであり、その目的は、検査や測定の種別に応じて被検眼を適切に固視させることが可能な眼科装置を提供することにある。
【課題を解決するための手段】
【００１０】
いくつかの実施形態の第１態様は、被検眼に光を投射し、前記被検眼からの戻り光を検出する屈折力測定光学系と、ＯＣＴ光源からの光を参照光と測定光とに分割し、前記測定光を前記被検眼に投射し、前記被検眼からの前記測定光の戻り光と前記参照光との干渉光を検出するＯＣＴ光学系と、前記被検眼に固視標を投影する固視投影系と、前記屈折力測定光学系を用いた屈折力測定を行うとき第１固視標を前記被検眼に投影し、前記ＯＣＴ光学系を用いたＯＣＴ計測を行うとき前記第１固視標より視角が狭い第２固視標を前記被検眼に投影するように前記固視投影系を制御する制御部と、を含む眼科装置である。
【００１１】
いくつかの実施形態の第２態様では、第１態様において、前記制御部は、前記ＯＣＴ計測を行うとき、前記第１固視標に重畳された前記第２固視標を移動又は点滅させるように前記固視投影系を制御する。
【００１２】
いくつかの実施形態の第３態様では、第１態様において、前記固視投影系は、照明用光源と、前記照明用光源と前記被検眼との間に配置され、前記第１固視標が表された透過型の視標チャートと、前記視標チャートと前記照明用光源との間に配置された固視光源と、を含み、前記制御部は、前記照明用光源からの光で前記視標チャートを照明することにより前記第１固視標を前記被検眼に投影させ、前記固視光源を点灯させることにより前記第２固視標を前記被検眼に投影させる。
【００１３】
いくつかの実施形態の第４態様では、第３態様において、前記制御部は、前記ＯＣＴ計測を行うとき、前記固視光源の点滅制御を行う。
【００１４】
いくつかの実施形態の第５態様では、第１態様において、前記固視投影系は、照明用光源と、固視光源と、前記照明用光源からの光の光路と前記固視光源からの光の光路とを結合するビームスプリッターと、前記ビームスプリッターにより結合された光路に配置され、前記第１固視標が表された透過型の視標チャートと、を含み、前記制御部は、前記照明用光源からの光で前記視標チャートを照明することにより前記第１固視標を前記被検眼に投影させ、前記固視光源を点灯させることにより前記第２固視標を前記被検眼に投影させる。
【００１５】
いくつかの実施形態の第６態様は、第５態様において、前記ビームスプリッターと前記固視光源との間に配置されたレンズを含み、前記視標チャートは、前記レンズの焦点位置に配置されている。
【００１６】
いくつかの実施形態第７態様では、第１態様において、前記固視投影系は、前記第１固視標を前記被検眼に投影するための第１固視投影系と、前記第２固視標を前記被検眼に投影するための第２固視投影系と、前記第１固視投影系の光路と前記第２固視投影系の光路とを結合するビームスプリッターと、を含み、前記制御部は、前記第１固視投影系及び前記第２固視投影系を制御することにより前記第１固視標及び前記第２固視標の少なくとも一方を前記被検眼に投影させる。
【００１７】
いくつかの実施形態の第８態様では、第１態様において、前記固視投影系は、前記第１固視標を前記被検眼に投影するための第１固視投影系と、前記第２固視標を前記被検眼に投影するための第２固視投影系と、前記第１固視投影系及び前記第２固視投影系を選択的に前記固視投影系の光路に配置させる切替機構と、を含み、前記制御部は、前記屈折力測定を行うとき前記第１固視投影系が前記光路に配置され、前記ＯＣＴ計測を行うとき前記第２固視投影系が前記光路に配置されるように前記切替機構を制御する。
【００１８】
いくつかの実施形態の第９態様では、第８態様において、前記切替機構は、前記第１固視投影系及び前記第２固視投影系を移動する移動機構を含み、前記制御部は、前記移動機構を制御することにより前記第１固視投影系及び前記第２固視投影系を選択的に前記固視投影系の光路に配置させる。
【００１９】
いくつかの実施形態の第１０態様では、第８態様において、前記切替機構は、クイックリターンミラーを含み、前記制御部は、前記クイックリターンミラーを制御することにより前記第１固視投影系及び前記第２固視投影系を選択的に前記固視投影系の光路に配置させる。
【００２０】
いくつかの実施形態の第１１態様では、第７態様〜第１０態様のいずれかにおいて、前記第１固視投影系は、第１照明用光源と、前記第１照明用光源と前記被検眼との間に配置され、前記第１固視標が表された透過型の第１視標チャートと、を含み、前記第２固視投影系は、第２照明用光源と、前記第２照明用光源と前記被検眼との間に配置され、前記第２固視標が表された透過型の第２視標チャートと、を含む。
【００２１】
いくつかの実施形態の第１２態様では、第１態様〜第１１態様のいずれかにおいて、前記第２固視標は、ドット視標又はクロス視標である。
【発明の効果】
【００２２】
本発明によれば、検査等の種別に応じて被検眼を適切に固視させることが可能な眼科装置を提供することが可能になる。
【図面の簡単な説明】
【００２３】
【図１】第１実施形態に係る眼科装置の光学系の構成例を示す概略図である。
【図２】第１実施形態に係る眼科装置の光学系の構成例を示す概略図である。
【図３】第１実施形態に係る眼科装置の処理系を説明するための概略図である。
【図４Ａ】第１実施形態に係る眼科装置を説明するための概略図である。
【図４Ｂ】第１実施形態に係る眼科装置を説明するための概略図である。
【図５】第１実施形態に係る眼科装置の動作例のフローを示す概略図である。
【図６】第２実施形態に係る眼科装置の光学系の構成例を示す概略図である。
【図７】第２実施形態に係る眼科装置の光学系の構成例を示す概略図である。
【図８】第３実施形態に係る眼科装置の光学系の構成例を示す概略図である。
【図９】第３実施形態に係る眼科装置の光学系の構成例を示す概略図である。
【発明を実施するための形態】
【００２４】
この発明に係る眼科装置の実施形態の例について、図面を参照しながら詳細に説明する。なお、この明細書において引用された文献の記載内容や任意の公知技術を、以下の実施形態に援用することが可能である。
【００２５】
実施形態に係る眼科装置は、屈折力測定（レフ測定）と、光コヒーレンストモグラフィ（Ｏｐｔｉｃａｌ  Ｃｏｈｅｒｅｎｃｅ  Ｔｏｍｏｇｒａｐｈｙ：以下、ＯＣＴ）を用いた計測や撮影とを実行可能である。
【００２６】
以下、実施形態では、ＯＣＴを用いた計測等においてスウェプトソースタイプのＯＣＴの手法を用いる場合について特に詳しく説明するが、他のタイプ（例えば、スペクトラルドメインタイプ）のＯＣＴを用いる眼科装置に対して、実施形態に係る構成を適用することも可能である。
【００２７】
いくつかの実施形態に係る眼科装置は、更に、自覚検査を行うための自覚検査光学系や、その他の他覚測定を行うための他覚測定系を含む。
【００２８】
自覚検査は、被検者からの応答を利用して情報を取得する測定手法である。自覚検査には、遠用検査、近用検査、コントラスト検査、グレア検査等の自覚屈折測定や、視野検査などがある。
【００２９】
他覚測定は、被検者からの応答を参照することなく、主に物理的な手法を用いて被検眼に関する情報を取得する測定手法である。他覚測定には、被検眼の特性を取得するための測定と、被検眼の画像を取得するための撮影とが含まれる。その他の他覚測定には、ケラト測定、眼圧測定、眼底撮影等がある。
【００３０】
以下、眼底共役位置は、アライメントが完了した状態での被検眼の眼底と光学的に略共役な位置であり、被検眼の眼底と光学的に共役な位置又はその近傍を意味するものとする。同様に、瞳孔共役位置は、アライメントが完了した状態での被検眼の瞳孔と光学的に略共役な位置であり、被検眼の瞳孔と光学的に共役な位置又はその近傍を意味するものとする。
【００３１】
［第１実施形態］
第１実施形態に係る眼科装置は、複数の検査や測定を行うための複数の光学系を備え、検査等の種別に応じた固視標を被検眼に呈示することが可能である。第１実施形態では、表示デバイスに表示された固視標が被検眼に投影される。表示デバイスに表示される固視標を検査等の種別に応じて変更することにより、当該種別に最適な固視標を被検眼に呈示することができる。
【００３２】
このような表示デバイスとして、液晶パネルを用いた液晶ディスプレイ（Ｌｉｑｕｉｄ  Ｃｒｙｓｔａｌ  Ｄｉｓｐｌａｙ）、有機ＥＬディスプレイ、プラズマディスプレイ、フィールドエミッションデバイス、プロジェクター等がある。以下、第１実施形態に係る表示デバイスは、液晶パネルを用いた液晶ディスプレイである場合について説明する。
【００３３】
＜光学系の構成＞
図１に、第１実施形態に係る眼科装置の光学系の構成例を示す。第１実施形態に係る眼科装置１０００は、被検眼Ｅを観察するための光学系と、被検眼Ｅを検査するための光学系と、これらの光学系の光路を波長分離するダイクロイックミラーとを含む。被検眼Ｅを観察するための光学系として、前眼部観察系５が設けられている。被検眼Ｅを検査するための光学系としてＯＣＴ光学系やレフ測定光学系（屈折力測定光学系）が設けられている。
【００３４】
眼科装置１０００は、Ｚアライメント系１、ＸＹアライメント系２、ケラト測定系３、固視投影系４、前眼部観察系５、レフ測定投射系６、レフ測定受光系７、及びＯＣＴ光学系８を含む。以下では、例えば、前眼部観察系５が９４０ｎｍ〜１０００ｎｍの光を用い、レフ測定光学系（レフ測定投射系６、レフ測定受光系７）が８３０ｎｍ〜８８０ｎｍの光を用い、固視投影系４が４００ｎｍ〜７００ｎｍの光を用い、ＯＣＴ光学系８が１０００ｎｍ〜１１００ｎｍの光を用いるものとする。
【００３５】
（前眼部観察系５）
前眼部観察系５は、被検眼Ｅの前眼部を動画撮影する。前眼部観察系５を経由する光学系において、撮像素子５９の撮像面は瞳孔共役位置に配置されている。前眼部照明光源５０は、被検眼Ｅの前眼部に照明光（例えば、赤外光）を照射する。被検眼Ｅの前眼部により反射された光は、対物レンズ５１を通過し、ダイクロイックミラー５２を透過し、絞り（テレセン絞り）５３に形成された孔部を通過し、ハーフミラー２３を透過し、リレーレンズ５５及び５６を通過し、ダイクロイックミラー７６を透過する。ダイクロイックミラー５２は、レフ測定光学系の光路と前眼部観察系５の光路とを合成（分離）する。ダイクロイックミラー５２は、これらの光路を合成する光路合成面が対物レンズ５１の光軸に対して傾斜して配置される。ダイクロイックミラー７６を透過した光は、結像レンズ５８により撮像素子５９（エリアセンサー）の撮像面に結像される。撮像素子５９は、所定のレートで撮像及び信号出力を行う。撮像素子５９の出力（映像信号）は、後述の処理部９に入力される。処理部９は、この映像信号に基づく前眼部像Ｅ´を後述の表示部１０の表示画面１０ａに表示させる。前眼部像Ｅ´は、例えば赤外動画像である。
【００３６】
（Ｚアライメント系１）
Ｚアライメント系１は、前眼部観察系５の光軸方向（前後方向、Ｚ方向）におけるアライメントを行うための光（赤外光）を被検眼Ｅに投射する。Ｚアライメント光源１１から出力された光は、被検眼Ｅの角膜Ｃｒに投射され、角膜Ｃｒにより反射され、結像レンズ１２によりラインセンサー１３のセンサー面に結像される。角膜頂点の位置が前眼部観察系５の光軸方向に変化すると、ラインセンサー１３のセンサー面における光の投射位置が変化する。処理部９は、ラインセンサー１３のセンサー面における光の投射位置に基づいて被検眼Ｅの角膜頂点の位置を求め、これに基づき光学系を移動させる機構を制御してＺアライメントを実行する。
【００３７】
（ＸＹアライメント系２）
ＸＹアライメント系２は、前眼部観察系５の光軸に直交する方向（左右方向（Ｘ方向）、上下方向（Ｙ方向））のアライメントを行うための光（赤外光）を被検眼Ｅに照射する。ＸＹアライメント系２は、ハーフミラー２３により前眼部観察系５の光路から分岐された光路に設けられたＸＹアライメント光源２１とコリメータレンズ２２とを含む。ＸＹアライメント光源２１から出力された光は、コリメータレンズ２２を通過し、ハーフミラー２３により反射され、前眼部観察系５を通じて被検眼Ｅに投射される。被検眼Ｅの角膜Ｃｒによる反射光は、前眼部観察系５を通じて撮像素子５９に導かれる。
【００３８】
この反射光に基づく像（輝点像）Ｂｒは前眼部像Ｅ´に含まれる。処理部９は、輝点像Ｂｒを含む前眼部像Ｅ´とアライメントマークＡＬとを表示部の表示画面に表示させる。手動でＸＹアライメントを行う場合、ユーザは、アライメントマークＡＬ内に輝点像Ｂｒを誘導するように光学系の移動操作を行う。自動でアライメントを行う場合、処理部９は、アライメントマークＡＬに対する輝点像Ｂｒの変位がキャンセルされるように、光学系を移動させる機構を制御する。
【００３９】
（ケラト測定系３）
ケラト測定系３は、被検眼Ｅの角膜Ｃｒの形状を測定するためのリング状光束（赤外光）を角膜Ｃｒに投射する。ケラト板３１は、対物レンズ５１と被検眼Ｅとの間に配置されている。ケラト板３１の背面側（対物レンズ５１側）にはケラトリング光源３２が設けられている。ケラト板３１には、対物レンズ５１の光軸を中心とする円周上に沿ってケラトリング光源３２からの光を透過するケラトパターン（透過部）が形成されている。なお、ケラトパターンは、対物レンズ５１の光軸を中心とする円弧状（円周の一部）に形成されていてもよい。ケラトリング光源３２からの光でケラト板３１を照明することにより、被検眼Ｅの角膜Ｃｒにリング状光束（円弧状又は円周状の測定パターン）が投射される。被検眼Ｅの角膜Ｃｒからの反射光（ケラトリング像）は撮像素子５９により前眼部像Ｅ´とともに検出される。処理部９は、このケラトリング像を基に公知の演算を行うことで、角膜Ｃｒの形状を表す角膜形状パラメータを算出する。
【００４０】
（レフ測定投射系６、レフ測定受光系７）
レフ測定光学系は、屈折力測定に用いられるレフ測定投射系６及びレフ測定受光系７を含む。レフ測定投射系６は、屈折力測定用の光束（例えば、リング状光束）（赤外光）を眼底Ｅｆに投射する。レフ測定受光系７は、この光束の被検眼Ｅからの戻り光を受光する。レフ測定投射系６は、レフ測定受光系７の光路に設けられた孔開きプリズム６５によって分岐された光路に設けられる。孔開きプリズム６５に形成されている孔部は、瞳孔共役位置に配置される。レフ測定受光系７を経由する光学系において、撮像素子５９の撮像面は眼底共役位置に配置される。
【００４１】
いくつかの実施形態では、レフ測定光源６１は、高輝度光源であるＳＬＤ（Ｓｕｐｅｒｌｕｍｉｎｅｓｃｅｎｔ  Ｄｉｏｄｅ）光源である。レフ測定光源６１は、光軸方向に移動可能である。レフ測定光源６１は、眼底共役位置に配置される。レフ測定光源６１から出力された光は、リレーレンズ６２を通過し、円錐プリズム６３の円錐面に入射する。円錐面に入射した光は偏向され、円錐プリズム６３の底面から出射する。円錐プリズム６３の底面から出射した光は、リング絞り６４にリング状に形成された透光部を通過する。リング絞り６４の透光部を通過した光（リング状光束）は、孔開きプリズム６５の孔部の周囲に形成された反射面により反射され、ロータリープリズム６６を通過し、ダイクロイックミラー６７により反射される。ダイクロイックミラー６７により反射された光は、ダイクロイックミラー５２により反射され、対物レンズ５１を通過し、被検眼Ｅに投射される。ロータリープリズム６６は、眼底Ｅｆの血管や疾患部位に対するリング状光束の光量分布を平均化や光源に起因するスペックルノイズの低減のために用いられる。
【００４２】
眼底Ｅｆに投射されたリング状光束の戻り光は、対物レンズ５１を通過し、ダイクロイックミラー５２及びダイクロイックミラー６７により反射される。ダイクロイックミラー６７により反射された戻り光は、ロータリープリズム６６を通過し、孔開きプリズム６５の孔部を通過し、リレーレンズ７１を通過し、反射ミラー７２により反射され、リレーレンズ７３及び合焦レンズ７４を通過する。合焦レンズ７４は、レフ測定受光系７の光軸に沿って移動可能である。合焦レンズ７４を通過した光は、反射ミラー７５により反射され、ダイクロイックミラー７６により反射され、結像レンズ５８により撮像素子５９の撮像面に結像される。処理部９は、撮像素子５９からの出力を基に公知の演算を行うことで被検眼Ｅの屈折力値を算出する。例えば、屈折力値は、球面度数、乱視度数及び乱視軸角度、又は等価球面度数を含む。
【００４３】
（固視投影系４）
ダイクロイックミラー６７によりレフ測定光学系の光路から波長分離された光路に、後述のＯＣＴ光学系８が設けられる。ダイクロイックミラー８３によりＯＣＴ光学系８の光路から分岐された光路に固視投影系４が設けられる。
【００４４】
固視投影系４は、固視標を被検眼Ｅに呈示する。固視投影系４の光路には、固視ユニット４０が配置されている。固視ユニット４０は、後述の処理部９からの制御を受け、固視投影系４の光路に沿って移動可能である。固視ユニット４０は、液晶パネル４１を含む。ダイクロイックミラー８３と固視ユニット４０との間に、リレーレンズ４２が配置されている。
【００４５】
処理部９による制御を受けた液晶パネル４１は、固視標を表すパターンを表示する。液晶パネル４１の画面上におけるパターンの表示位置を変更することにより、被検眼Ｅの固視位置を変更できる。被検眼Ｅの固視位置としては、眼底Ｅｆの黄斑部を中心とする画像を取得するための位置や、視神経乳頭を中心とする画像を取得するための位置や、黄斑部と視神経乳頭との間の眼底中心を中心とする画像を取得するための位置などがある。固視標を表すパターンの表示位置を任意に変更することが可能である。
【００４６】
液晶パネル４１からの光は、リレーレンズ４２を通過し、ダイクロイックミラー８３を透過し、リレーレンズ８２を通過し、反射ミラー８１により反射され、ダイクロイックミラー６７を透過し、ダイクロイックミラー５２により反射される。ダイクロイックミラー５２により反射された光は、対物レンズ５１を通過して眼底Ｅｆに投射される。いくつかの実施形態では、液晶パネル４１及びリレーレンズ４２のそれぞれは、独立に光軸方向に移動可能である。
【００４７】
（ＯＣＴ光学系８）
ＯＣＴ光学系８は、ＯＣＴ計測を行うための光学系である。ＯＣＴ計測よりも前に実施されたレフ測定結果に基づいて、光ファイバーｆ１の端面が撮影部位（眼底Ｅｆ又は前眼部）と光学系に共役となるように合焦レンズ８７の位置が調整される。
【００４８】
ＯＣＴ光学系８は、ダイクロイックミラー６７によりレフ測定光学系の光路から波長分離された光路に設けられる。上記の固視投影系４の光路は、ダイクロイックミラー８３によりＯＣＴ光学系８の光路に結合される。それにより、ＯＣＴ光学系８及び固視投影系４のそれぞれの光軸を同軸で結合することができる。
【００４９】
ＯＣＴ光学系８は、ＯＣＴユニット１００を含む。図２に示すように、ＯＣＴユニット１００において、ＯＣＴ光源１０１は、一般的なスウェプトソースタイプのＯＣＴ装置と同様に、出射光の波長を掃引（走査）可能な波長掃引型（波長走査型）光源を含んで構成される。波長掃引型光源は、共振器を含むレーザー光源を含んで構成される。ＯＣＴ光源１０１は、人眼では視認できない近赤外の波長帯において、出力波長を時間的に変化させる。
【００５０】
図２に例示するように、ＯＣＴユニット１００には、スウェプトソースＯＣＴを実行するための光学系が設けられている。この光学系は、干渉光学系を含む。この干渉光学系は、波長可変光源（波長掃引型光源）からの光を測定光と参照光とに分割する機能と、被検眼Ｅからの測定光の戻り光と参照光路を経由した参照光とを重ね合わせて干渉光を生成する機能と、この干渉光を検出する機能とを備える。干渉光学系により得られた干渉光の検出結果（検出信号）は、干渉光のスペクトルを示す信号であり、処理部９に送られる。
【００５１】
ＯＣＴ光源１０１は、例えば、出射光の波長（１０００ｎｍ〜１１００ｎｍの波長範囲）を高速で変化させる近赤外波長可変レーザーを含む。ＯＣＴ光源１０１から出力された光Ｌ０は、光ファイバー１０２により偏波コントローラ１０３に導かれてその偏光状態が調整される。偏光状態が調整された光Ｌ０は、光ファイバー１０４によりファイバーカプラー１０５に導かれて測定光ＬＳと参照光ＬＲとに分割される。
【００５２】
参照光ＬＲは、光ファイバー１１０によりコリメータ１１１に導かれて平行光束に変換され、光路長補正部材１１２及び分散補償部材１１３を経由し、コーナーキューブ１１４に導かれる。光路長補正部材１１２は、参照光ＬＲの光路長と測定光ＬＳの光路長とを合わせるよう作用する。分散補償部材１１３は、参照光ＬＲと測定光ＬＳとの間の分散特性を合わせるよう作用する。コーナーキューブ１１４は、参照光ＬＲの入射方向に移動可能であり、それにより参照光ＬＲの光路長が変更される。
【００５３】
コーナーキューブ１１４を経由した参照光ＬＲは、分散補償部材１１３及び光路長補正部材１１２を経由し、コリメータ１１６によって平行光束から集束光束に変換され、光ファイバー１１７に入射する。光ファイバー１１７に入射した参照光ＬＲは、偏波コントローラ１１８に導かれてその偏光状態が調整され、光ファイバー１１９によりアッテネータ１２０に導かれて光量が調整され、光ファイバー１２１によりファイバーカプラー１２２に導かれる。
【００５４】
一方、ファイバーカプラー１０５により生成された測定光ＬＳは、光ファイバーｆ１により導かれてコリメータレンズユニット８９により平行光束に変換され、光スキャナー８８、合焦レンズ８７、リレーレンズ８５、及び反射ミラー８４を経由し、ダイクロイックミラー８３により反射される。
【００５５】
光スキャナー８８は、測定光ＬＳを１次元的又は２次元的に偏向する。光スキャナー８８は、例えば、第１ガルバノミラーと、第２ガルバノミラーとを含む。第１ガルバノミラーは、ＯＣＴ光学系８の光軸に直交する水平方向に撮影部位（眼底Ｅｆ又は前眼部）をスキャンするように測定光ＬＳを偏向する。第２ガルバノミラーは、ＯＣＴ光学系８の光軸に直交する垂直方向に撮影部位をスキャンするように、第１ガルバノミラーにより偏向された測定光ＬＳを偏向する。このような光スキャナー８８による測定光ＬＳの走査態様としては、例えば、水平スキャン、垂直スキャン、十字スキャン、放射スキャン、円スキャン、同心円スキャン、螺旋スキャンなどがある。
【００５６】
ダイクロイックミラー８３により反射された測定光ＬＳは、リレーレンズ８２を通過し、反射ミラー８１により反射され、ダイクロイックミラー６７を透過し、ダイクロイックミラー５２により反射され、対物レンズ５１により屈折されて被検眼Ｅに入射する。測定光ＬＳは、被検眼Ｅの様々な深さ位置において散乱・反射される。被検眼Ｅからの測定光ＬＳの戻り光は、往路と同じ経路を逆向きに進行してファイバーカプラー１０５に導かれ、光ファイバー１２８を経由してファイバーカプラー１２２に到達する。
【００５７】
ファイバーカプラー１２２は、光ファイバー１２８を介して入射された測定光ＬＳと、光ファイバー１２１を介して入射された参照光ＬＲとを合成して（干渉させて）干渉光を生成する。ファイバーカプラー１２２は、所定の分岐比（例えば１：１）で干渉光を分岐することにより、一対の干渉光ＬＣを生成する。一対の干渉光ＬＣは、それぞれ光ファイバー１２３及び１２４を通じて検出器１２５に導かれる。
【００５８】
検出器１２５は、例えばバランスドフォトダイオードである。バランスドフォトダイオードは、一対の干渉光ＬＣをそれぞれ検出する一対のフォトディテクタを含み、これらフォトディテクタにより得られた一対の検出結果の差分を出力する。検出器１２５は、この出力（検出信号）をＤＡＱ（Ｄａｔａ  Ａｃｑｕｉｓｉｔｉｏｎ  Ｓｙｓｔｅｍ）１３０に送る。
【００５９】
ＤＡＱ１３０には、ＯＣＴ光源１０１からクロックＫＣが供給される。クロックＫＣは、ＯＣＴ光源１０１において、波長可変光源により所定の波長範囲内で掃引される各波長の出力タイミングに同期して生成される。ＯＣＴ光源１０１は、例えば、各出力波長の光Ｌ０を分岐することにより得られた２つの分岐光の一方を光学的に遅延させた後、これらの合成光を検出した結果に基づいてクロックＫＣを生成する。ＤＡＱ１３０は、検出器１２５から入力される検出信号をクロックＫＣに基づきサンプリングする。ＤＡＱ１３０は、検出器１２５からの検出信号のサンプリング結果を処理部９の演算処理部２２０に送られる。演算処理部２２０は、例えば一連の波長走査毎に（Ａライン毎に）、サンプリングデータに基づくスペクトル分布にフーリエ変換等を施すことにより、各Ａラインにおける反射強度プロファイルを形成する。更に、演算処理部２２０は、各Ａラインの反射強度プロファイルを画像化することにより画像データを形成する。
【００６０】
本例では、参照光ＬＲの光路（参照光路、参照アーム）の長さを変更するためのコーナーキューブ１１４が設けられているが、これら以外の光学部材を用いて、測定光路長と参照光路長との差を変更することも可能である。
【００６１】
処理部９は、レフ測定光学系を用いて得られた測定結果から屈折力値を算出し、算出された屈折力値に基づいて、眼底Ｅｆとレフ測定光源６１と撮像素子５９とが共役となる位置に、レフ測定光源６１及び合焦レンズ７４それぞれを光軸方向に移動させる。いくつかの実施形態では、処理部９は、合焦レンズ７４の移動に連動してＯＣＴ光学系８の合焦レンズ８７をその光軸方向に移動させる。いくつかの実施形態では、処理部９は、レフ測定光源６１及び合焦レンズ７４の移動に連動して液晶パネル４１（固視ユニット４０）をその光軸方向に移動させる。
【００６２】
＜処理系の構成＞
眼科装置１０００の処理系の構成について説明する。眼科装置１０００の処理系の機能的構成の例を図３に示す。図３は、眼科装置１０００の処理系の機能ブロック図の一例を表す。
【００６３】
処理部９は、眼科装置１０００の各部を制御する。また、処理部９は、各種演算処理を実行可能である。処理部９は、プロセッサを含む。プロセッサの機能は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路により実現される。処理部９は、例えば、記憶回路や記憶装置に格納されているプログラムを読み出し実行することで、実施形態に係る機能を実現する。
【００６４】
処理部９は、制御部２１０と、演算処理部２２０とを含む。また、眼科装置１０００は、移動機構２００と、表示部２７０と、操作部２８０と、通信部２９０とを含む。
【００６５】
移動機構２００は、Ｚアライメント系１、ＸＹアライメント系２、ケラト測定系３、固視投影系４、前眼部観察系５、レフ測定投射系６、レフ測定受光系７及びＯＣＴ光学系８等の光学系が収納されたヘッド部を前後左右方向に移動させるための機構である。例えば、移動機構２００には、ヘッド部を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。制御部２１０（主制御部２１１）は、アクチュエータに対して制御信号を送ることにより移動機構２００に対する制御を行う。
【００６６】
（制御部２１０）
制御部２１０は、プロセッサを含み、眼科装置の各部を制御する。制御部２１０は、主制御部２１１と、記憶部２１２とを含む。記憶部２１２には、眼科装置を制御するためのコンピュータプログラムがあらかじめ格納される。コンピュータプログラムには、光源制御用プログラム、検出器制御用プログラム、光スキャナー制御用プログラム、光学系制御用プログラム、演算処理用プログラム及びユーザインターフェイス用プログラムなどが含まれる。このようなコンピュータプログラムに従って主制御部２１１が動作することにより、制御部２１０は制御処理を実行する。
【００６７】
主制御部２１１は、測定制御部として眼科装置の各種制御を行う。Ｚアライメント系１に対する制御には、Ｚアライメント光源１１の制御、ラインセンサー１３の制御などがある。Ｚアライメント光源１１の制御には、光源の点灯、消灯、光量調整、絞り調整などがある。ラインセンサー１３の制御には、検出素子の露光調整やゲイン調整や検出レート調整などがある。それにより、Ｚアライメント光源１１の点灯と非点灯とが切り替えられたり、光量が変更されたりする。主制御部２１１は、ラインセンサー１３により検出された信号を取り込み、取り込まれた信号に基づいてラインセンサー１３に対する光の投影位置を特定する。主制御部２１１は、特定された投影位置に基づいて被検眼Ｅの角膜頂点の位置を求め、これに基づき移動機構２００を制御してヘッド部を前後方向に移動させる（Ｚアライメント）。
【００６８】
ＸＹアライメント系２に対する制御には、ＸＹアライメント光源２１の制御などがある。ＸＹアライメント光源２１の制御には、光源の点灯、消灯、光量調整、絞り調整などがある。それにより、ＸＹアライメント光源２１の点灯と非点灯とが切り替えられたり、光量が変更されたりする。主制御部２１１は、撮像素子５９により検出された信号を取り込み、取り込まれた信号に基づいてＸＹアライメント光源２１からの光の戻り光に基づく輝点像の位置を特定する。主制御部２１１は、所定の目標位置（例えば、アライメントマークＡＬの中心位置）に対する輝点像Ｂｒの位置との変位がキャンセルされるように移動機構２００を制御してヘッド部を左右上下方向に移動させる（ＸＹアライメント）。
【００６９】
ケラト測定系３に対する制御には、ケラトリング光源３２の制御などがある。ケラトリング光源３２の制御には、光源の点灯、消灯、光量調整、絞り調整などがある。それにより、ケラトリング光源３２の点灯と非点灯とが切り替えられたり、光量が変更されたりする。主制御部２１１は、撮像素子５９により検出されたケラトリング像に対する公知の演算を演算処理部２２０に実行させる。それにより、被検眼Ｅの角膜形状パラメータが求められる。
【００７０】
固視投影系４に対する制御には、液晶パネル４１の制御や固視ユニット４０の移動制御などがある。液晶パネル４１の制御には、固視標の表示のオン・オフや、検査や測定の種別に応じた固視標の切り替えや、固視標の表示位置の切り替えなどがある。
【００７１】
図４Ａに、第１実施形態の第１呈示例に係る固視標の説明図を示す。図４Ａは、第１呈示例に係る固視標を模式的に表したものである。
【００７２】
主制御部２１１は、レフ測定を行うときに図４Ａに示す固視標ＦＴ１を液晶パネル４１に表示させ、ＯＣＴ計測を行うときに図４Ａに示す固視標ＦＴ２又は固視標ＦＴ３を液晶パネル４１に表示させる。固視標ＦＴ１は、風景チャートである。固視標ＦＴ２は、固視標ＦＴ１より視角が小さい輝点（ドット視標）である。固視標ＦＴ３は、固視標ＦＴ１より視角が小さいクロス視標である。第１呈示例において、主制御部２１１は、検査モード（測定モード）に応じて固視標ＦＴ１と固視標ＦＴ２とを切り替えて表示させる。また、主制御部２１１は、検査モードに応じて固視標ＦＴ１と固視標ＦＴ３とを切り替えて表示させることが可能である。
【００７３】
このように検査モードに応じて液晶パネル４１に表示される固視標を変更することにより、レフ測定では被検眼に視力調節させないように固視標を呈示させ、ＯＣＴ計測では計測部位等に応じて被検眼における所望の部位を所定の計測位置に配置させるように固視標を呈示させることができる。
【００７４】
図４Ｂに、第１実施形態の第２呈示例に係る固視標の説明図を示す。図４Ｂは、第２呈示例に係る固視標を模式的に表したものである。
【００７５】
主制御部２１１は、レフ測定を行うときに図４Ｂに示す固視標ＦＴ４を液晶パネル４１に表示させ、ＯＣＴ計測を行うときに固視標ＦＴ４に重畳するように図４Ｂに示す固視標ＢＰ１を液晶パネル４１に表示させる。固視標ＦＴ４は、図４Ａに示す固視標ＦＴ１と同様の風景チャートである。固視標ＢＰ１は、固視標ＦＴ４より視角が小さい輝点（ドット視標）である。第２呈示例において、主制御部２１１は、検査モード（測定モード）に応じて固視標ＦＴ４上に固視標ＢＰ１を表示させる。主制御部２１１は、固視標ＢＰ１を点滅させたり、固視標ＢＰ１の表示位置を移動したりすることが可能である。いくつかの実施形態では、主制御部２１１は、ＯＣＴ計測を行うとき、固視標ＦＴ４の一部の輝度を上げたり、固視標ＦＴ４の一部の輝度を周期的に上下させたりする。いくつかの実施形態では、固視標ＢＰ１に代えて、図４Ａに示す固視標ＦＴ３が呈示される。
【００７６】
第２呈示例においても、第１呈示例と同様に、レフ測定では被検眼に視力調節させないように固視標を呈示させ、ＯＣＴ計測では計測部位等に応じて被検眼における所望の部位を所定の計測位置に配置させるように固視標を呈示させることができる。
【００７７】
図３において、例えば、固視投影系４には、液晶パネル４１（又は固視ユニット４０）を光軸方向に移動する移動機構が設けられる。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、少なくとも液晶パネル４１を光軸方向に移動させる。それにより、液晶パネル４１と眼底Ｅｆとが光学的に共役となるように液晶パネル４１の位置が調整される。
【００７８】
前眼部観察系５に対する制御には、前眼部照明光源５０の制御、撮像素子５９の制御などがある。前眼部照明光源５０の制御には、光源の点灯、消灯、光量調整、絞り調整などがある。それにより、前眼部照明光源５０の点灯と非点灯とが切り替えられたり、光量が変更されたりする。撮像素子５９の制御には、撮像素子５９の露光調整やゲイン調整や検出レート調整などがある。主制御部２１１は、撮像素子５９により検出された信号を取り込み、取り込まれた信号に基づく画像の形成等の処理を演算処理部２２０に実行させる。
【００７９】
レフ測定投射系６に対する制御には、レフ測定光源６１の制御、ロータリープリズム６６の制御などがある。レフ測定光源６１の制御には、光源の点灯、消灯、光量調整、絞り調整などがある。それにより、レフ測定光源６１の点灯と非点灯とが切り替えられたり、光量が変更されたりする。例えば、レフ測定投射系６は、レフ測定光源６１を光軸方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、レフ測定光源６１を光軸方向に移動させる。ロータリープリズム６６の制御には、ロータリープリズム６６の回転制御などがある。例えば、ロータリープリズム６６を回転させる回転機構が設けられており、主制御部２１１は、この回転機構を制御することによりロータリープリズム６６を回転させる。
【００８０】
レフ測定受光系７に対する制御には、合焦レンズ７４の制御などがある。合焦レンズ７４の制御には、合焦レンズ７４の光軸方向への移動制御などがある。例えば、レフ測定受光系７は、合焦レンズ７４を光軸方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、合焦レンズ７４を光軸方向に移動させる。主制御部２１１は、レフ測定光源６１と眼底Ｅｆと撮像素子５９とが光学的に共役となるように、例えば被検眼Ｅの屈折力に応じてレフ測定光源６１及び合焦レンズ７４をそれぞれ光軸方向に移動させることが可能である。
【００８１】
ＯＣＴ光学系８に対する制御には、ＯＣＴ光源１０１の制御、光スキャナー８８の制御、合焦レンズ８７の制御、コーナーキューブ１１４の制御、検出器１２５の制御、ＤＡＱ１３０の制御などがある。ＯＣＴ光源１０１の制御には、光源の点灯、消灯、光量調整、絞り調整などがある。光スキャナー８８の制御には、第１ガルバノミラーによる走査位置や走査範囲や走査速度の制御、第２ガルバノミラーによる走査位置や走査範囲や走査速度の制御などがある。
【００８２】
合焦レンズ８７の制御には、合焦レンズ８７の光軸方向への移動制御、撮影部位に対応した合焦基準位置への合焦レンズ８７の移動制御、撮影部位に対応した移動範囲（合焦範囲）内での移動制御などがある。例えば、ＯＣＴ光学系８は、合焦レンズ８７を光軸方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、合焦レンズ８７を光軸方向に移動させる。いくつかの実施形態では、眼科装置には、合焦レンズ７４及び８７を保持する保持部材と、保持部材を駆動する駆動部が設けられる。主制御部２１１は、駆動部を制御することにより合焦レンズ７４及び８７の移動制御を行う。主制御部２１１は、例えば、合焦レンズ７４の移動に連動して合焦レンズ８７を移動させた後、干渉信号の強度に基づいて合焦レンズ８７だけを移動させるようにしてもよい。
【００８３】
コーナーキューブ１１４の制御には、コーナーキューブ１１４の光路に沿った移動制御などがある。例えば、ＯＣＴ光学系８は、コーナーキューブ１１４を光路に沿った方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、コーナーキューブ１１４を光路に沿った方向に移動させる。検出器１２５の制御には、検出素子の露光調整やゲイン調整や検出レート調整などがある。主制御部２１１は、検出器１２５により検出された信号をＤＡＱ１３０によりサンプリングし、サンプリングされた信号に基づく画像の形成等の処理を演算処理部２２０（画像形成部２２２）に実行させる。
【００８４】
また、主制御部２１１は、記憶部２１２にデータを書き込む処理や、記憶部２１２からデータを読み出す処理を行う。
【００８５】
（記憶部２１２）
記憶部２１２は、各種のデータを記憶する。記憶部２１２に記憶されるデータとしては、例えば他覚測定の測定結果、断層像の画像データ、眼底像の画像データ、被検眼情報などがある。被検眼情報は、患者ＩＤや氏名などの被検者に関する情報や、左眼／右眼の識別情報などの被検眼に関する情報を含む。また、記憶部２１２には、眼科装置を動作させるための各種プログラムやデータが記憶されている。
【００８６】
（演算処理部２２０）
演算処理部２２０は、眼屈折力算出部２２１と、画像形成部２２２と、データ処理部２２３とを含む。
【００８７】
眼屈折力算出部２２１は、レフ測定投射系６により眼底Ｅｆに投影されたリング状光束（リング状の測定パターン）の戻り光を撮像素子５９が受光することにより得られたリング像（パターン像）を解析する。例えば、眼屈折力算出部２２１は、得られたリング像が描出された画像における輝度分布からリング像の重心位置を求め、この重心位置から放射状に延びる複数の走査方向に沿った輝度分布を求め、この輝度分布からリング像を特定する。続いて、眼屈折力算出部２２１は、特定されたリング像の近似楕円を求め、この近似楕円の長径及び短径を公知の式に代入することによって球面度数、乱視度数及び乱視軸角度を求める。或いは、眼屈折力算出部２２１は、基準パターンに対するリング像の変形及び変位に基づいて眼屈折力のパラメータを求めることができる。
【００８８】
また、眼屈折力算出部２２１は、前眼部観察系５により取得されたケラトリング像に基づいて、角膜屈折力、角膜乱視度及び角膜乱視軸角度を算出する。例えば、眼屈折力算出部２２１は、ケラトリング像を解析することにより角膜前面の強主経線や弱主経線の角膜曲率半径を算出し、角膜曲率半径に基づいて上記パラメータを算出する。
【００８９】
画像形成部２２２は、検出器１１５により検出された信号に基づいて、眼底Ｅｆの断層像の画像データを形成する。すなわち、画像形成部２２２は、干渉光学系による干渉光ＬＣの検出結果に基づいて被検眼Ｅの画像データを形成する。この処理には、従来のスペクトラルドメインタイプのＯＣＴと同様に、フィルター処理、ＦＦＴ（Ｆａｓｔ  Ｆｏｕｒｉｅｒ  Ｔｒａｎｓｆｏｒｍ）などの処理が含まれている。このようにして取得される画像データは、複数のＡライン（被検眼Ｅ内における各測定光ＬＳの経路）における反射強度プロファイルを画像化することにより形成された一群の画像データを含むデータセットである。
【００９０】
画質を向上させるために、同じパターンでのスキャンを複数回繰り返して収集された複数のデータセットを重ね合わせる（加算平均する）ことができる。
【００９１】
データ処理部２２３は、画像形成部２２２により形成された断層像に対して各種のデータ処理（画像処理）や解析処理を施す。例えば、データ処理部２２３は、画像の輝度補正や分散補正等の補正処理を実行する。また、データ処理部２２３は、前眼部観察系５を用い得られた画像（前眼部像等）に対して各種の画像処理や解析処理を施す。
【００９２】
データ処理部２２３は、断層像の間の画素を補間する補間処理などの公知の画像処理を実行することにより、被検眼Ｅのボリュームデータ（ボクセルデータ）を形成することができる。ボリュームデータに基づく画像を表示させる場合、データ処理部２２３は、このボリュームデータに対してレンダリング処理を施して、特定の視線方向から見たときの擬似的な３次元画像を形成する。
【００９３】
（表示部２７０、操作部２８０）
表示部２７０は、ユーザインターフェイス部として、制御部２１０による制御を受けて情報を表示する。表示部２７０は、図１などに示す表示部１０を含む。
【００９４】
操作部２８０は、ユーザインターフェイス部として、眼科装置を操作するために使用される。操作部２８０は、眼科装置に設けられた各種のハードウェアキー（ジョイスティック、ボタン、スイッチなど）を含む。また、操作部２８０は、タッチパネル式の表示画面１０ａに表示される各種のソフトウェアキー（ボタン、アイコン、メニューなど）を含んでもよい。
【００９５】
表示部２７０及び操作部２８０の少なくとも一部が一体的に構成されていてもよい。その典型例として、タッチパネル式の表示画面１０ａがある。
【００９６】
（通信部２９０）
通信部２９０は、図示しない外部装置と通信するための機能を有する。通信部２９０は、外部装置との接続形態に応じた通信インターフェイスを備える。外部装置の例として、レンズの光学特性を測定するための眼鏡レンズ測定装置がある。眼鏡レンズ測定装置は、被検者が装用する眼鏡レンズの度数などを測定し、この測定データを眼科装置１０００に入力する。また、外部装置は、任意の眼科装置、記録媒体から情報を読み取る装置（リーダ）や、記録媒体に情報を書き込む装置（ライタ）などでもよい。更に、外部装置は、病院情報システム（ＨＩＳ）サーバ、ＤＩＣＯＭ（Ｄｉｇｉｔａｌ  Ｉｍａｇｉｎｇ  ａｎｄ  ＣＯｍｍｕｎｉｃａｔｉｏｎ  ｉｎ  Ｍｅｄｉｃｉｎｅ）サーバ、医師端末、モバイル端末、個人端末、クラウドサーバなどでもよい。通信部２９０は、例えば処理部９に設けられていてもよい。
【００９７】
＜動作例＞
第１実施形態に係る眼科装置１０００の動作について説明する。
【００９８】
図５に、眼科装置１０００の動作の一例を示す。図５は、眼科装置１０００の動作例のフロー図を表す。記憶部２１２には、図５に示す処理を実現するためのコンピュータプログラムが記憶されている。主制御部２１１は、このコンピュータプログラムに従って動作することにより、図５に示す処理を実行する。
【００９９】
（Ｓ１：アライメント）
図示しない顔受け部に被検者の顔が固定された状態で、検者が操作部２８０に対して所定の操作を行うことで、眼科装置１０００は、アライメントを実行する。
【０１００】
具体的には、主制御部２１１は、Ｚアライメント光源１１やＸＹアライメント光源２１を点灯させる。また、主制御部２１１は、前眼部照明光源５０を点灯させる。処理部９は、撮像素子５９の撮像面上の前眼部像の撮像信号を取得し、表示部２７０に前眼部像を表示させる。その後、図１に示す光学系が被検眼Ｅの検査位置に移動される。検査位置とは、被検眼Ｅの検査を十分な精度内で行うことが可能な位置である。前述のアライメント（Ｚアライメント系１及びＸＹアライメント系２と前眼部観察系５とによるアライメント）を介して被検眼Ｅが検査位置に配置される。光学系の移動は、ユーザによる操作若しくは指示又は制御部２１０による指示にしたがって、制御部２１０によって実行される。すなわち、被検眼Ｅの検査位置への光学系の移動と、他覚測定を行うための準備とが行われる。
【０１０１】
また、主制御部２１１は、レフ測定光源６１と、合焦レンズ７４と、固視ユニット４０（液晶パネル４１）をそれぞれの光軸に沿って原点の位置（例えば、０Ｄに相当する位置）に移動させる。
【０１０２】
（Ｓ２：ケラト測定）
次に、主制御部２１１は、所望の固視位置に対応した表示位置に固視標を示すパターンを液晶パネル４１に表示させる。それにより、所望の固視位置に被検眼Ｅを注視させる。
【０１０３】
その後、主制御部２１１は、ケラトリング光源３２を点灯させる。ケラトリング光源３２から光が出力されると、被検眼Ｅの角膜Ｃｒに角膜形状測定用のリング状光束が投射される。眼屈折力算出部２２１は、撮像素子５９によって取得された像に対して演算処理を施すことにより、角膜曲率半径を算出し、算出された角膜曲率半径から角膜屈折力、角膜乱視度及び角膜乱視軸角度を算出する。制御部２１０では、算出された角膜屈折力などが記憶部２１２に記憶される。主制御部２１１からの指示、又は操作部２８０に対するユーザの操作若しくは指示により、眼科装置１０００の動作はステップＳ３に移行する。
【０１０４】
（Ｓ３：固視標切り替え）
次に、主制御部２１１は、図４Ａに示す風景チャートを液晶パネル４１に表示させる。これにより、固視標ＦＴ１が被検眼Ｅに呈示される。
【０１０５】
（Ｓ４：屈折力測定）
屈折力測定では、主制御部２１１は、前述のように屈折力測定のためのリング状の測定パターン光束を被検眼Ｅに投射させる。被検眼Ｅからの測定パターン光束の戻り光に基づくリング像が撮像素子５９の撮像面に結像される。主制御部２１１は、撮像素子５９により検出された眼底Ｅｆからの戻り光に基づくリング像を取得できたか否かを判定する。例えば、主制御部２１１は、撮像素子５９により検出された戻り光に基づく像のエッジの位置（画素）を検出し、像の幅（外径と内径との差）が所定値以上であるか否かを判定する。或いは、主制御部２１１は、所定の高さ（リング径）以上の点（像）に基づいてリングを形成できるか否かを判定することにより、リング像を取得できたか否かを判定してもよい。
【０１０６】
リング像を取得できたと判定されたとき、眼屈折力算出部２２１は、被検眼Ｅに投射された測定パターン光束の戻り光に基づくリング像を公知の手法で解析し、仮の球面度数Ｓ及び仮の乱視度数Ｃを求める。主制御部２１１は、求められた仮の球面度数Ｓ及び乱視度数Ｃに基づき、レフ測定光源６１、合焦レンズ７４、及び固視ユニット４０（液晶パネル４１）を等価球面度数（Ｓ＋Ｃ／２）の位置（仮の遠点に相当する位置）へ移動させる。主制御部２１１は、その位置から固視ユニット４０（液晶パネル４１）を更に雲霧位置に移動させた後、本測定としてレフ測定投射系６及びレフ測定受光系７を制御することによりリング像を再び取得させる。主制御部２１１は、前述と同様に得られたリング像の解析結果と合焦レンズ７４の移動量から球面度数、乱視度数及び乱視軸角度を眼屈折力算出部２２１に算出させる。
【０１０７】
また、眼屈折力算出部２２１は、求められた球面度数及び乱視度数から被検眼Ｅの遠点に相当する位置（本測定により得られた遠点に相当する位置）を求める。主制御部２１１は、求められた遠点に相当する位置に液晶パネル４１を移動させる。制御部２１０では、合焦レンズ７４の位置や算出された球面度数などが記憶部２１２に記憶される。主制御部２１１からの指示、又は操作部２８０に対するユーザの操作若しくは指示により、眼科装置１０００の動作はステップＳ５に移行する。
【０１０８】
リング像を取得できないと判定されたとき、主制御部２１１は、強度屈折異常眼である可能性を考慮して、レフ測定光源６１及び合焦レンズ７４をあらかじめ設定したステップでマイナス度数側（例えば−１０Ｄ）、プラス度数側（例えば＋１０Ｄ）へ移動させる。主制御部２１１は、レフ測定受光系７を制御することにより各位置でリング像を検出させる。それでもリング像を取得できないと判定されたとき、主制御部２１１は、所定の測定エラー処理を実行する。このとき、眼科装置１０００の動作はステップＳ５に移行してもよい。制御部２１０では、レフ測定結果が得られなかったことを示す情報が記憶部２１２に記憶される。
【０１０９】
（Ｓ５：固視標切り替え）
次に、主制御部２１１は、図４Ｂに示す輝点（固視標ＦＴ２）又はクロス視標（固視標ＦＴ３）を液晶パネル４１に表示させる。これにより、輝点（ドット視標）又はクロス視標が被検眼Ｅに呈示される。
【０１１０】
（Ｓ６：断層像撮影）
まず、主制御部２１１は、固視ユニット４０（液晶パネル４１）を雲霧位置から合焦位置に移動させる。いくつかの実施形態では、合焦位置は、ステップＳ４で特定された等価球面度数（Ｓ＋Ｃ／２）の位置、又は等価球面度数（Ｓ＋Ｃ／２）の位置から干渉信号の強度等が最大になるように調整された位置である。
【０１１１】
続いて、主制御部２１１は、ＯＣＴ光源１０１を点灯させ、光スキャナー８８を制御することにより眼底Ｅｆの所定の部位を測定光ＬＳでスキャンさせる。測定光ＬＳのスキャンにより得られた検出信号は画像形成部２２２に送られる。画像形成部２２２は、得られた検出信号から眼底Ｅｆの断層像を形成する。以上で、眼科装置１０００の動作は、終了となる（エンド）。
【０１１２】
以上説明したように、検査モードに応じて液晶パネル４１に表示される固視標を変更することにより、レフ測定では被検眼に視力調節させないように固視標を呈示させ、ＯＣＴ計測では計測部位等に応じて被検眼における所望の部位を所定の計測位置に配置させるように固視標を呈示させることができる。
【０１１３】
［第２実施形態］
第１実施形態では、液晶パネル４１に表示される固視標を切り替えることにより検査等に適した固視標を被検眼Ｅに呈示していたが、実施形態に係る眼科装置の構成はこれに限定されるものではない。以下、第２実施形態に係る眼科装置の構成について、第１実施形態との相違点を中心に説明する。
【０１１４】
〔第１構成例〕
図６に、第２実施形態の第１構成例に係る固視投影系４の構成例を示す。図６において、図１と同様の部分には同一符号を付し、適宜説明を省略する。
【０１１５】
固視投影系４に設けられた固視ユニット４０には、液晶パネル４１に代えて、照明用光源４５ａと、視標チャート４６ａと、固視光源４７ａとが設けられている。照明用光源４５ａからダイクロイックミラー８３に向けて、固視光源４７ａ、視標チャート４６ａ、及びリレーレンズ４２の順序で配置される。視標チャート４６ａは、照明用光源４５ａと被検眼Ｅとの間に配置され、固視標ＦＴ１、ＦＴ４などの風景チャートが表された透過型の視標チャートである。いくつかの実施形態において、視標チャート４６ａは、風景チャートが印刷された透過性のフィルムである。いくつかの実施形態において、固視光源４７ａは、所定の発光サイズを有する点光源である。
【０１１６】
主制御部２１１は、レフ測定を行うとき照明用光源４５ａを点灯させ、照明用光源４５ａからの光で視標チャート４６ａを照明することにより風景チャート（第１固視標）を被検眼Ｅに投影させる。また、主制御部２１１は、ＯＣＴ計測を行うとき固視光源４７ａを点灯させることにより輝点（ドット視標）（第２固視標）を被検眼Ｅに投影させる。いくつかの実施形態では、主制御部２１１は、レフ測定を行うとき固視光源４７ａを消灯させ、ＯＣＴ計測を行うとき照明用光源４５ａを消灯させる。それにより、レフ測定を行うときに風景チャートが被検眼Ｅに呈示され、ＯＣＴ計測を行うときに輝点が被検眼Ｅに呈示される。
【０１１７】
いくつかの実施形態では、ＯＣＴ計測を行うとき固視光源４７ａを点滅させる。いくつかの実施形態では、複数の固視光源４７ａが設けられ、主制御部２１１が複数の固視光源４７ａを選択的に点灯させることにより、輝点の投影位置を変更したり、移動させたりする。いくつかの実施形態では、主制御部２１１が複数の固視光源４７ａの一部又は全部を点灯させることにより、輝点のサイズを変更したりすることができる。
【０１１８】
〔第２構成例〕
図７に、第２実施形態の第２構成例に係る固視投影系４の構成例を示す。図７において、図１又は図６と同様の部分には同一符号を付し、適宜説明を省略する。
【０１１９】
固視投影系４に設けられた固視ユニット４０には、液晶パネル４１に代えて、照明用光源４５ａと、ハーフミラー４８ｂ、視標チャート４６ａと、固視光源４７ａと、リレーレンズ４９ｂとが設けられている。ハーフミラー４８ｂは、照明用光源４５ａからの光の光路と固視光源４７ａからの光の光路とを結合する。照明用光源４５ａからダイクロイックミラー８３に向けて、ハーフミラー４８ｂ、視標チャート４６ａ、及びリレーレンズ４２の順序で配置される。固視光源４７ａからダイクロイックミラー８３に向けて、リレーレンズ４９ｂ、ハーフミラー４８ｂ、視標チャート４６ａ、及びリレーレンズ４２の順序で配置される。視標チャート４６ａは、ハーフミラー４８ｂにより結合された光路に配置され、固視標ＦＴ１、ＦＴ４などの風景チャートが表された透過型の視標チャートである。視標チャート４６ａは、リレーレンズ４９ｂの焦点位置に配置されている。
【０１２０】
照明用光源４５ａからの光は、ハーフミラー４８ｂを透過し、視標チャート４６ａを透過し、リレーレンズ４２を通過し、ダイクロイックミラー８３に導かれる。固視光源４７ａからの光は、リレーレンズ４９ｂを通過し、ハーフミラー４８ｂにより反射され、視標チャート４６ａを透過し、リレーレンズ４２を通過し、ダイクロイックミラー８３に導かれる。
【０１２１】
主制御部２１１は、レフ測定を行うとき照明用光源４５ａを点灯させ、照明用光源４５ａからの光で視標チャート４６ａを照明することにより風景チャート（第１固視標）を被検眼Ｅに投影させる。また、主制御部２１１は、ＯＣＴ計測を行うとき固視光源４７ａを点灯させることにより輝点（ドット視標）（第２固視標）を被検眼Ｅに投影させる。このとき、固視光源４７ａからの光は、視標チャート４６ａの所定位置に集光され、輝点となる。
【０１２２】
いくつかの実施形態では、主制御部２１１は、レフ測定を行うとき固視光源４７ａを消灯させ、ＯＣＴ計測を行うとき照明用光源４５ａを消灯させる。それにより、レフ測定を行うときに風景チャートが被検眼Ｅに呈示され、ＯＣＴ計測を行うときに輝点が被検眼Ｅに呈示される。
【０１２３】
第２実施形態に係る眼科装置における動作例は、図５と同様であるため、詳細な説明を省略する。
【０１２４】
以上説明したように、風景チャートが表された透過型の視標チャート４６ａを設け、検査モードに応じて照明用光源４５ａ及び固視光源４７ａを制御することにより、レフ測定では被検眼に視力調節させないように固視標を呈示させ、ＯＣＴ計測では計測部位等に応じて被検眼における所望の部位を所定の計測位置に配置させるように固視標を呈示させることができる。
【０１２５】
［第３実施形態］
第２実施形態では、レフ測定時とＯＣＴ計測時において１つの視標チャートを用いて固視標を投影する場合について説明したが、実施形態に係る眼科装置の構成はこれに限定されるものではない。以下、第３実施形態に係る眼科装置の構成について、第２実施形態との相違点を中心に説明する。
【０１２６】
〔第１構成例〕
図８に、第３実施形態の第１構成例に係る固視投影系４の構成例を示す。図８において、図１と同様の部分には同一符号を付し、適宜説明を省略する。
【０１２７】
固視投影系４は、風景チャートを被検眼Ｅに投影するための第１固視投影系と、風景チャートより視角が小さい輝点（ドット視標、クロス視標）等を被検眼Ｅに投影するための第２固視投影系とを含む。第１固視投影系の光路と第２固視投影系の光路とは、ハーフミラー４９ｃにより結合される。第１固視投影系は、照明用光源４５ｃと、透過型の視標チャート４６ｃとを含む。第２固視投影系は、照明用光源４７ｃと、透過型の視標チャート４８ｃとを含む。
【０１２８】
視標チャート４６ｃは、照明用光源４５ｃと被検眼Ｅとの間に配置され、固視標ＦＴ１、ＦＴ４などの風景チャートが表された透過型の視標チャートである。いくつかの実施形態において、視標チャート４６ｃは、風景チャートが印刷された透過性のフィルムである。視標チャート４８ｃは、照明用光源４７ｃと被検眼Ｅとの間に配置され、固視標ＦＴ２、ＦＴ３などのドット視標やクロス視標が表された透過型の視標チャートである。いくつかの実施形態において、視標チャート４８ｃは、ドット視標やクロス視標が印刷された透過性のフィルムである。
【０１２９】
主制御部２１１は、第１固視投影系及び第２固視投影系を制御することにより風景チャート及び輝点（ドット視標、クロス視標）の少なくとも一方を被検眼Ｅに投影させる。具体的には、主制御部２１１は、レフ測定を行うとき照明用光源４５ｃを点灯させ、照明用光源４５ｃからの光で視標チャート４６ｃを照明することにより風景チャート（第１固視標）を被検眼Ｅに投影させる。また、主制御部２１１は、ＯＣＴ計測を行うとき照明用光源４７ｃを点灯させ、照明用光源４７ｃからの光で視標チャート４８ｃを照明することにより輝点（ドット視標、クロス視標）又はクロス視標（第２固視標）を被検眼Ｅに投影させる。いくつかの実施形態では、主制御部２１１は、レフ測定を行うとき照明用光源４７ｃを消灯させ、ＯＣＴ計測を行うとき照明用光源４５ｃを消灯させる。それにより、レフ測定を行うときに風景チャートが被検眼Ｅに呈示され、ＯＣＴ計測を行うときに輝点が被検眼Ｅに呈示される。いくつかの実施形態では、ＯＣＴ計測を行うとき照明用光源４７ｃを点滅させる。
【０１３０】
〔第２構成例〕
図９に、第３実施形態の第２構成例に係る固視投影系４の構成例を示す。図９において、図１又は図８と同様の部分には同一符号を付し、適宜説明を省略する。
【０１３１】
固視投影系４は、図８と同様に、風景チャートを被検眼Ｅに投影するための第１固視投影系と、風景チャートより視角が小さい輝点等を被検眼Ｅに投影するための第２固視投影系とを含む。第１固視投影系の光路と第２固視投影系の光路とは、クイックリターンミラー４９ｄにより切り替えられる。すなわち、クイックリターンミラー４９ｄは、第１固視投影系及び第２固視投影系を選択的に固視投影系の光路に配置させる。
【０１３２】
主制御部２１１は、レフ測定を行うとき第１固視投影系が固視投影系４の光路に配置されるようにクイックリターンミラー４９ｄを制御し、照明用光源４５ｃを点灯させ、照明用光源４５ｃからの光で視標チャート４６ｃを照明することにより風景チャート（第１固視標）を被検眼Ｅに投影させる。また、主制御部２１１は、ＯＣＴ計測を行うとき第２固視投影系が固視投影系４の光路に配置されるようにクイックリターンミラー４９ｄを制御し、照明用光源４７ｃを点灯させ、照明用光源４７ｃからの光で視標チャート４８ｃを照明することにより輝点（ドット視標、クロス視標）（第２固視標）を被検眼Ｅに投影させる。
【０１３３】
いくつかの実施形態では、主制御部２１１は、レフ測定を行うとき照明用光源４７ｃを消灯させ、ＯＣＴ計測を行うとき照明用光源４５ｃを消灯させる。それにより、レフ測定を行うときに風景チャートが被検眼Ｅに呈示され、ＯＣＴ計測を行うときに輝点が被検眼Ｅに呈示される。いくつかの実施形態では、ＯＣＴ計測を行うとき照明用光源４７ｃを点滅させる。
【０１３４】
〔第３構成例〕
第２構成例に係る切替機構としてのクイックリターンミラー４９ｄに代えて、第１固視投影系及び第２固視投影系を移動する移動機構が設けられてもよい。移動機構は、第１固視投影系及び第２固視投影系を移動することにより、固視投影系４の光路に第１固視投影系及び第２固視投影系を選択的に配置させる。
【０１３５】
例えば、主制御部２１１は、移動機構を制御することにより第１固視投影系及び第２固視投影系を選択的に固視投影系４の光路に配置させる。すなわち、レフ測定用の照明用光源及び視標チャートと、ＯＣＴ計測用の照明光源及び視標チャートとを選択的に固視投影系４の光路に配置させる。主制御部２１１は、レフ測定を行うとき第１固視投影系が固視投影系４の光路に配置されるように移動機構を制御し、照明用光源４５ｃを点灯させ、照明用光源４５ｃからの光で視標チャート４６ｃを照明することにより風景チャート（第１固視標）を被検眼Ｅに投影させる。また、主制御部２１１は、ＯＣＴ計測を行うとき第２固視投影系が固視投影系４の光路に配置されるように移動機構を制御し、照明用光源４７ｃを点灯させ、照明用光源４７ｃからの光で視標チャート４８ｃを照明することにより輝点（ドット視標）又はクロス視標（第２固視標）を被検眼Ｅに投影させる。
【０１３６】
いくつかの実施形態では、移動機構は、固視投影系４の光路に対して交差する方向に第１固視投影系及び第２固視投影系を移動することにより、固視投影系４の光路に第１固視投影系及び第２固視投影系を選択的に配置させる。
【０１３７】
第３実施形態に係る眼科装置における動作例は、図５と同様であるため、詳細な説明を省略する。
【０１３８】
以上説明したように、風景チャートが表された透過型の視標チャート４６ｃと、ドット視標やクロス視標が表された透過型の視標チャート４８ｃとを設け、検査モードに応じて照明用光源４５ａ及び４７ｃを制御することにより、レフ測定では被検眼に視力調節させないように固視標を呈示させ、ＯＣＴ計測では計測部位等に応じて被検眼における所望の部位を所定の計測位置に配置させるように固視標を呈示させることができる。
【０１３９】
レフ測定投射系６及びレフ測定受光系７は、実施形態に係る「屈折力測定光学系」の一例である。ハーフミラー４８ｂ、４９ｃは、実施形態に係る「ビームスプリッター」の一例である。リレーレンズ４９ｂは、実施形態に係る「レンズ」の一例である。照明用光源４５ｃは、実施形態に係る「第１照明用光源」の一例である。視標チャート４６ｃは、実施形態に係る「第１視標チャート」の一例である。照明用光源４７ｃは、実施形態に係る「第２照明用光源」の一例である。視標チャート４８ｃは、実施形態に係る「第２視標チャート」の一例である。
【０１４０】
［作用・効果］
実施形態に係る眼科装置の作用及び効果について説明する。
【０１４１】
いくつかの実施形態に係る眼科装置（１０００）は、屈折力測定光学系（レフ測定投射系６、レフ測定受光系７）と、ＯＣＴ光学系（８）と、固視投影系（４）と、制御部（２１０、主制御部２１１）とを含む。屈折力測定光学系は、被検眼（Ｅ）に光を投射し、被検眼からの戻り光を検出する。ＯＣＴ光学系は、ＯＣＴ光源（１０１）からの光（Ｌ０）を参照光（ＬＲ）と測定光（ＬＳ）とに分割し、測定光を被検眼に投射し、被検眼からの測定光の戻り光と参照光との干渉光（ＬＣ）を検出する。固視投影系は、被検眼に固視標を投影する。制御部は、屈折力測定光学系を用いた屈折力測定を行うとき第１固視標（固視標ＦＴ１）を被検眼に投影し、ＯＣＴ光学系を用いたＯＣＴ計測を行うとき第１固視標より視角が狭い第２固視標（固視標ＦＴ２、ＦＴ３）を被検眼に投影するように固視投影系を制御する。
【０１４２】
このような構成によれば、計測又は測定の種別に応じて視角が異なる固視標を被検眼に提示するようにしたので、屈折力測定では被検眼に視力調節させないように固視標を呈示させ、ＯＣＴ計測では計測部位等に応じて被検眼における所望の部位を所定の計測位置に配置させるように固視標を呈示させることができる。
【０１４３】
いくつかの実施形態に係る眼科装置では、制御部は、ＯＣＴ計測を行うとき、第１固視標に重畳された第２固視標を移動又は点滅させるように固視投影系を制御する。
【０１４４】
このような構成によれば、第１固視標を投影した状態でも第２固視標に被検眼を注視させることが可能になる。
【０１４５】
いくつかの実施形態に係る眼科装置では、固視投影系は、照明用光源（４５ａ）と、照明用光源と被検眼との間に配置され、第１固視標が表された透過型の視標チャート（４６ａ）と、視標チャートと照明用光源との間に配置された固視光源（４７ａ）と、を含み、制御部は、照明用光源からの光で視標チャートを照明することにより第１固視標を被検眼に投影させ、固視光源を点灯させることにより第２固視標を被検眼に投影させる。
【０１４６】
このような構成によれば、第１固視標が表された透過型の視標チャートを設け、計測又は測定の種別に応じて照明用光源及び固視光源を制御するようにしたので、簡素な構成で、屈折力測定では被検眼に視力調節させないように第１固視標を呈示させ、ＯＣＴ計測では計測部位等に応じて被検眼における所望の部位を所定の計測位置に配置させるように第２固視標を呈示させることができる。
【０１４７】
いくつかの実施形態に係る眼科装置では、制御部は、ＯＣＴ計測を行うとき、固視光源の点滅制御を行う。
【０１４８】
このような構成によれば、第２固視標に対し被検眼を確実に注視させることが可能になる。
【０１４９】
いくつかの実施形態に係る眼科装置では、固視投影系は、照明用光源（４５ａ）と、固視光源（４７ａ）と、照明用光源からの光の光路と固視光源からの光の光路とを結合するビームスプリッター（ハーフミラー４８ｂ）と、ビームスプリッターにより結合された光路に配置され、第１固視標が表された透過型の視標チャート（４６ａ）と、を含み、制御部は、照明用光源からの光で視標チャートを照明することにより第１固視標を被検眼に投影させ、固視光源を点灯させることにより第２固視標を被検眼に投影させる。
【０１５０】
このような構成によれば、計測又は測定の種別に応じて照明用光源及び固視光源を制御するだけで、屈折力測定に適した第１固視標を被検眼に呈示させ、ＯＣＴ計測に適した第２固視標を被検眼に呈示させることができる。
【０１５１】
いくつかの実施形態に係る眼科装置は、ビームスプリッターと固視光源との間に配置されたレンズ（リレーレンズ４９ｂ）を含み、視標チャートは、レンズの焦点位置に配置されている。
【０１５２】
このような構成によれば、簡素な構成で第２固視標を視認しやすくなるので、第２固視標に対し被検眼を確実に注視させることが可能になる。
【０１５３】
いくつかの実施形態に係る眼科装置では、固視投影系は、第１固視標を被検眼に投影するための第１固視投影系と、第２固視標を被検眼に投影するための第２固視投影系と、第１固視投影系の光路と第２固視投影系の光路とを結合するビームスプリッター（ハーフミラー４９ｃ）と、を含み、制御部は、第１固視投影系及び第２固視投影系を制御することにより第１固視標及び第２固視標の少なくとも一方を被検眼に投影させる。
【０１５４】
このような構成によれば、第１固視投影系と第２固視投影系とを設け、第１固視投影系及び第２固視投影系を制御することにより第１固視標及び第２固視標の少なくとも一方を被検眼に投影させるようにしたので、光学設計を容易化することができる。
【０１５５】
いくつかの実施形態に係る眼科装置では、固視投影系は、第１固視標を被検眼に投影するための第１固視投影系と、第２固視標を被検眼に投影するための第２固視投影系と、第１固視投影系及び第２固視投影系を選択的に固視投影系の光路に配置させる切替機構と、を含み、制御部は、屈折力測定を行うとき第１固視投影系が上記の光路に配置され、ＯＣＴ計測を行うとき第２固視投影系が上記の光路に配置されるように切替機構を制御する。
【０１５６】
このような構成によれば、切替機構により第１固視投影系及び第２固視投影系を選択的に固視投影系の光路に配置させるようにしたので、簡素な構成で第１固視標や第２固視標を切り替えて被検眼に投影することができる。
【０１５７】
いくつかの実施形態に係る眼科装置では、切替機構は、第１固視投影系及び第２固視投影系を移動する移動機構を含み、制御部は、移動機構を制御することにより第１固視投影系及び第２固視投影系を選択的に固視投影系の光路に配置させる。
【０１５８】
このような構成によれば、移動機構により第１固視投影系及び第２固視投影系を選択的に固視投影系の光路に配置させるようにしたので、簡素な構成で第１固視標や第２固視標を切り替えて被検眼に投影することができる。
【０１５９】
いくつかの実施形態に係る眼科装置では、切替機構は、クイックリターンミラー（４９ｄ）を含み、制御部は、クイックリターンミラーを制御することにより第１固視投影系及び第２固視投影系を選択的に固視投影系の光路に配置させる。
【０１６０】
このような構成によれば、クイックリターンミラーにより第１固視投影系及び第２固視投影系を選択的に固視投影系の光路に配置させるようにしたので、簡素な構成で第１固視標や第２固視標を切り替えて被検眼に投影することができる。
【０１６１】
いくつかの実施形態に係る眼科装置では、第１固視投影系は、第１照明用光源（４５ｃ）と、第１照明用光源と被検眼との間に配置され、第１固視標が表された透過型の第１視標チャート（４６ｃ）と、を含み、第２固視投影系は、第２照明用光源（４７ｃ）と、第２照明用光源と被検眼との間に配置され、第２固視標が表された透過型の第２視標チャート（４８ｃ）と、を含む。
【０１６２】
このような構成によれば、第１照明用光源と第２照明用光源とを制御することにより第１固視標や第２固視標を切り替えて被検眼に投影することができる。
【０１６３】
いくつかの実施形態に係る眼科装置では、第２固視標は、ドット視標又はクロス視標である。
【０１６４】
このような構成によれば、簡素な構成で第２固視標に対し被検眼を確実に注視させることが可能になる。
【０１６５】
＜その他＞
以上に示された実施形態は、この発明を実施するための一例に過ぎない。この発明を実施しようとする者は、この発明の要旨の範囲内において任意の変形、省略、追加等を施すことが可能である。
【符号の説明】
【０１６６】
１  Ｚアライメント系
２  ＸＹアライメント系
３  ケラト測定系
４  固視投影系
５  前眼部観察系
６  レフ測定投射系
７  レフ測定受光系
８  ＯＣＴ光学系
９  処理部
４０  固視ユニット
４１  液晶パネル
２１０  制御部
２１１  主制御部
１０００  眼科装置
【図１】
2019170470.tif 000003
【図２】
2019170470.tif 000004
【図３】
2019170470.tif 000005
【図４Ａ】
2019170470.tif 000006
【図４Ｂ】
2019170470.tif 000007
【図５】
2019170470.tif 000008
【図６】
2019170470.tif 000009
【図７】
2019170470.tif 000010
【図８】
2019170470.tif 000011
【図９】
2019170470.tif 000012